(57)【要約】      （修正有）【課題】電力線ネットワークを利用してネットワークに接続し、ポイントツーポイント接続を利用して信号伝送を行う監視制御装置を提供する。【解決手段】電力線ポイントツーポイント接続を利用して信号伝送を行う監視制御装置は、電力線ネットワークブリッジと第１ルータを含むカメラ装置と、第２ルータを含む監視制御装置と、ポイントツーポイントサーバを含み、カメラ装置が第１ルータと電力線ネットワークブリッジを経由し電力線を介してインターネットに接続され、監視制御装置が第２ルータを経由してインターネットに接続され、ポイントツーポイントサーバが第１ルータと第２ルータをインターネット経由で接続する。【選択図】図１
0003159549.tif 000002
【実用新案登録請求の範囲】
【請求項１】
電力線ポイントツーポイント接続を利用して信号伝送を行う監視制御装置であって、電力線ネットワークブリッジと第１ルータを含むカメラ装置と、第２ルータを含む監視制御装置と、ポイントツーポイントサーバを含み、
前記カメラ装置が前記第１ルータと前記電力線ネットワークブリッジを経由し電力線を介してインターネットに接続され、
前記監視制御装置が前記第２ルータを経由してインターネットに接続され、
前記ポイントツーポイントサーバが前記第１ルータと前記第２ルータをインターネット経由で接続でき、
そのうち、前記カメラ装置と前記監視制御装置が前記第１ルータと前記第２ルータを経由してポイントツーポイントサーバを介しポイントツーポイント伝送を行うことを特徴とする、電力線ポイントツーポイント接続を利用して信号伝送を行う監視制御装置。
【請求項２】
前記第１ルータと前記第２ルータがホールパンチング技術（ｈｏｌｅ  ｐｕｎｃｈｉｎｇ）を利用してポイントツーポイント伝送を行うことを特徴とする、請求項１に記載の電力線ポイントツーポイント接続を利用して信号伝送を行う監視制御装置。
【請求項３】
前記カメラ装置がネットワークカメラ（ＩＰ  Ｃａｍｅｒａ）であり、且つ前記カメラ装置がカメラモジュール、映像圧縮モジュール、出入力制御モジュール、電源モジュール、電力線ネットワークモジュールを含むことを特徴とする、請求項１に記載の電力線ポイントツーポイント接続を利用して信号伝送を行う監視制御装置。
【請求項４】
前記出入力制御モジュールに信号制御モジュールが接続され、前記信号制御モジュールに警報装置と電器設備がそれぞれ接続されたことを特徴とする、請求項３に記載の電力線ポイントツーポイント接続を利用して信号伝送を行う監視制御装置。
【請求項５】
前記監視制御装置がコンピュータまたは携帯電話であることを特徴とする、請求項１に記載の電力線ポイントツーポイント接続を利用して信号伝送を行う監視制御装置。
【考案の詳細な説明】
【技術分野】
【０００１】
本考案はネットワーク映像監視及び設備制御システムに関し、特に、電力線ネットワークを利用してネットワークに接続し、ポイントツーポイント技術で信号伝送を行う、電力線ポイントツーポイント接続を利用して信号伝送を行う監視制御装置に関する。
【背景技術】
【０００２】
科学技術の進歩とインターネットの普及に伴い、使用者は事前に監視した場所にカメラ装置を設置して、インターネット経由で隨時ネットワークカメラの映像を確認したり、電器設備の制御及び警報設備が検知した警報信号の受信を行ったりすることができ、このような応用は犯罪の抑制及び証拠保全において確実に生活上の利便性をもたらしている。
【０００３】
しかしながら、上述の監視用カメラ器材は使用時に次のような問題と欠点が確実に存在し、改善が待たれている。
一、  
従来のカメラ装置がネットワークカメラの場合、ネットワーク配線を行う必要があり、時間と手間がかかるだけでなく、コストも高い。
二、  
従来のカメラ装置がネットワークカメラの場合、複雑なネットワークＩＰ設定をしてやっとインターネット経由で接続を行うことができ、一般の使用者にとってこれは容易に達成できることではない。
【０００４】
このため、上述の従来の問題と欠点をいかに解決するかが本考案の考案者と関連産業に従事する企業が改善を研究している方向性である。
【考案の概要】
【考案が解決しようとする課題】
【０００５】
本考案の考案者は上述の欠点に鑑み、関連資料を収集し、多方面の評価及び検討を経て、関連産業において蓄積した長年の経験に基づき、試作と修正を重ね、ついにこの電力線ネットワークを利用してネットワークに接続し、ポイントツーポイント技術で信号伝送を行う、電力線ポイントツーポイント接続を利用して信号伝送を行う監視制御装置の実用新案の開発に至った。
【０００６】
本考案の主な目的は、電力線ネットワークを利用してネットワークに接続し、ポイントツーポイント接続を利用して信号伝送を行う監視制御装置を提供することにある。
【課題を解決するための手段】
【０００７】
上述の目的を達するため、本考案の監視カメラ装置は、カメラ装置、監視制御装置、ポイントツーポイントサーバを含む。前記カメラ装置は電力線ネットワークブリッジと第１ルータを含み、前記カメラ装置は前記第１ルータと前記電力線ネットワークブリッジを経由して電力線を介しインターネットに接続することができ、前記監視制御装置は第２ルータを含み、前記監視制御装置は前記第２ルータを経由してインターネットに接続し、前記ポイントツーポイントサーバは前記第１ルータと前記第２ルータをインターネット経由で接続することができる。
【考案の効果】
【０００８】
通常は時間と手間のかかるネットワークケーブルの配線及び複雑なＩＰ設定を行わなければインターネットでネットワークカメラの映像を確認したり、電器設備を制御したりすることはできない。本考案は前記カメラ装置が電力線ネットワークブリッジを含んでいるため、ＰＬＣ（Ｐｏｗｅｒ  Ｌｉｎｅ  Ｃｏｍｍｕｎｉｃａｔｉｏｎ）の技術によってネットワークケーブルの配線の手間を省くことができ、且つ本考案はポイントツーポイントサーバを含んでいるため、Ｐ２Ｐ（Ｐｅｅｒ  ｔｏ  Ｐｅｅｒ）の技術を利用してＩＰ設定不要の目的を達することができる。このため、使用者がネットワーク配線を行う必要がなく、またどのようにＩＰ設定を行うかを理解する必要もない。また本考案の監視制御装置は携帯電話またはコンピュータとすることができ、使用者はコンピュータまたは携帯電話を利用するだけで簡単にインターネット経由で家の中の映像を監視したり、電器設備を制御したり、同時に警報設備が検知した警報信号を受信したりすることができる。
【図面の簡単な説明】
【０００９】
【図１】本考案の最良の実施例のブロック図である。
【図２】本考案の最良の実施例の実施概略図である。
【考案を実施するための形態】
【００１０】
上述の目的及び効果を達するため、本考案が採用する技術手段及び構造について、以下図面を参照しながら本考案の最良の実施例に基づきその特徴と機能を詳細に説明する。
【００１１】
図１に本考案の最良の実施例のブロック図を示す。この図からはっきりと分かるように、本考案は主に電力線ネットワークブリッジ１１と第１ルータ１２を含むカメラ装置１と、第２ルータ２１を含む監視制御装置２と、ポイントツーポイントサーバ３を含む。
【００１２】
前記カメラ装置１は前記第１ルータ１２と前記電力線ネットワークブリッジ１１により電力線４を介してインターネットに接続でき、前記カメラ装置１内にはハードディスク、メモリ等のストレージデバイスを設置でき、前記カメラ装置１が映像を撮影したとき、映像ファイルを前記ストレージデバイスに保存することができる。
【００１３】
前記カメラ装置１内にはカメラモジュール１３、映像圧縮モジュール１４、出入力制御モジュール１５、電源モジュール１６、電力線ネットワークモジュール１７が設置され、撮影と伝送機能を形成する。前記出入力制御モジュール１５にはさらに信号制御モジュール１５１が接続され、前記信号制御モジュール１５１には警報装置１５２と電器設備１５３がそれぞれ接続され、前記カメラ装置１はネットワークカメラ（ＩＰ  Ｃａｍｅｒａ）とする。
【００１４】
前記監視制御装置２は前記第２ルータ２１を介してインターネットに接続でき、前記監視制御装置２はコンピュータまたは携帯電話とすることができ、且つ前記監視制御装置２は中央管理センター、コントロール台等の場所に設置し、使用者は前記監視制御装置２を看視することでカメラ装置１の撮影する映像を知ることができる。
【００１５】
前記ポイントツーポイントサーバ３は前記第１ルータ１２と前記第２ルータ２１をインターネット経由で接続することができる。
【００１６】
そのうち、前記カメラ装置１と前記監視制御装置２は前記第１ルータ１２と前記第２ルータ２１によりポイントツーポイントサーバ３を経由してホールパンチング技術（ｈｏｌｅ  ｐｕｎｃｈｉｎｇ）を利用しポイントツーポイント伝送を行う。
【００１７】
上述の構造、構成設計に基づき、本考案の使用作動状況について以下で説明する。同時に図１と図２の本考案の最良の実施例のブロック図と実施概略図を参照する。これらの図からはっきりと分かるように、本考案のカメラ装置１がインターネットに接続されると、まずカメラ装置１のカメラモジュール１３が映像の撮影を行い、撮影完了後、前記カメラモジュール１３が映像信号を映像圧縮モジュール１４に送信してデジタル映像信号に圧縮し、さらに電力線ネットワークモジュール１７により電力線４（ＡＣ  １００Ｖ〜２４０Ｖ）を経由してこの映像デジタル信号を電力線ネットワークブリッジ１１に伝送し、第１ルータ１２によりインターネットに接続する。以上がカメラ装置１のインターネット接続の過程である。
【００１８】
カメラ装置１がインターネットに接続された後、自動的にポイントツーポイントサーバ３に接続し、ポイントツーポイントサーバ３はカメラ装置１に接続された第１ルータ１２に対しホールパンチング（ｈｏｌｅ  ｐｕｎｃｈｉｎｇ）を行う。また、監視制御装置２もインターネットに接続された後、自動的にポイントツーポイントサーバ３に接続し、ポイントツーポイントサーバ３が監視制御装置２に接続された第２ルータ２１に対しホールパンチング（ｈｏｌｅ  ｐｕｎｃｈｉｎｇ）を行う。このときカメラ装置１はポイントツーポイントサーバ３を経由せずに映像信号を監視制御装置２に伝送することができる。
【００１９】
カメラ装置１が前記監視制御装置２に接続した後、前記監視制御装置２（例えばコンピュータ、携帯電話）は信号制御モジュール１５１により接続された電器設備１５３の制御と警報設備の伝送する信号接受を行うことができ、警告の効果を発揮できる。使用者はコンピュータ、携帯電話を通して隨時カメラ装置１のキャプチャする映像に対し監視を行うことができる。
【００２０】
全部の図に示すように、本考案の使用時には従来技術と比較して次のような利点が確実に存在する。上述の構造により、本考案は使用者がネットワーク配線を行う必要がなく、またどのようにＩＰ設定を行うかを理解する必要もない。また本考案の監視制御装置２はコンピュータまたは携帯電話とすることができ、使用者はコンピュータまたは携帯電話を利用して随時看視を行うことができ、簡単にインターネット経由で家の中の映像を監視したり、電器設備１５３を制御したりすることができる。
【００２１】
以上の説明は本考案の最良の実施例に基づくものであり、本考案の特許範囲を限定せず、本考案の明細書及び図面の内容を運用した簡易な修飾及び同等効果の構造変化はすべて本考案の特許範囲内に含まれる。
【００２２】
上述をまとめると、本考案の電力線ポイントツーポイント接続を利用して信号伝送を行う監視制御装置は使用時にその効果と目的を確実に達成することができるため、本考案は実用性に優れた創作であり、実用新案登録の出願要件を満たしているため、法に基づき出願を提出するものである。
【符号の説明】
【００２３】
１        カメラ装置
１１      電力線ネットワークブリッジ
１２      第１ルータ
１３      カメラモジュール
１４      映像圧縮モジュール
１５      出入力制御モジュール
１５１    信号制御モジュール
１５２    警報装置
１５３    電器設備
１６      電源モジュール
１７      電力線ネットワークモジュール
２        監視制御装置
２１      第２ルータ
３        ポイントツーポイントサーバ
４        電力線
【図１】
0003159549.tif 000003
【図２】
0003159549.tif 000004
【手続補正書】
【提出日】平成22年3月18日(2010.3.18)
【手続補正１】
【補正対象書類名】実用新案登録請求の範囲
【補正対象項目名】請求項３
【補正方法】変更
【補正の内容】
【請求項３】
前記カメラ装置がネットワークカメラ（Network  Camera）であり、且つ前記カメラ装置がカメラモジュール、映像圧縮モジュール、出入力制御モジュール、電源モジュール、電力線ネットワークモジュールを含むことを特徴とする、請求項１に記載の電力線ポイントツーポイント接続を利用して信号伝送を行う監視制御装置。